(57)【要約】【課題】  筐体に対して筐体パネルを簡単に装着可能とし、筐体の強度も補強可能とする。【解決手段】  アルミニウム等の金属部材で形成された筐体パネル２の空隙部２０に対して、上筐体１の端部１ｂを挿入したうえで、上筐体１の反ヒンジ部４側の端部１ｂに固定カバー３をネジ止めする。これにより、上筐体１に対して筐体パネル２を簡単に装着することができる。また、デザインや模様、色彩等の異なる筐体パネル２に交換することも簡単に行うことができ、筐体の外観を簡単に一新させることができる。また、筐体パネル２の両側面部２ａには巻き加工（ラウンド加工）が施されており、この筐体パネル２を上筐体１に装着することで、上筐体の装着面部１ａのみならず、上筐体１の両側面部、及び上筐体のメイン表示部が設けられた面部の両端部近傍まで被覆する。これにより、筐体パネル２を装着することで、薄型化された上筐体１の強度を補強することができる。【選択図】  図１
2009290805.tif 000002
【特許請求の範囲】
【請求項１】
筒形状部材の周面部の一部を、径方向に対して直交する方向に沿って切り欠いて形成されており、空隙部に筐体の端部を挿入するかたちで該筐体に装着された際に、少なくとも該筐体の装着面部と共に該筐体の両側面部をも被覆するように形成された筐体パネルと、
上記筐体パネルが装着された上記筐体の端部を被覆するように該筐体の端部に装着されることで、該筐体に上記筐体パネルを固定するパネル固定カバーと
を有する携帯端末装置。
【請求項２】
上記筐体の両側面部に対して、該両側面部の外観をそれぞれ略半円形状とするＲ加工を施し、
上記筐体パネルの両側面部に対して、上記Ｒ加工が施された上記筐体の両側面部に当接すると共に、該筐体の上記装着面部の反対側の面部における上記両側面部近傍まで被覆するようにラウンド加工を施した
請求項１に記載の携帯端末装置。
【請求項３】
上記筐体の装着面部に設けられ、該筐体に装着された筐体パネルに当接することで、上記筐体の装着面部と、この筐体の装着面部に相対向する面部である上記筐体パネルの裏面部との間に所定の間隙部を形成する間隙形成用凸部を有する
請求項１又は請求項２に記載の携帯端末装置。
【請求項４】
上記筐体に対して上記筐体パネルを装着した際に、該筐体の装着面部に相対向する面部となる該筐体パネルの裏面部に設けられ、上記筐体の装着面部に当接することで、上記筐体の装着面部と上記筐体パネルの裏面部との間に所定の間隙部を形成する間隙形成用凸部を有する
請求項１又は請求項２に記載の携帯端末装置。
【請求項５】
上記間隙形成用凸部は、上記筐体の長手方向、或いは短手方向に沿って設けられたレール形状を有し、或いは上記筐体の上記装着面部に点在するように設けられたドット形状を有する
請求項３又は請求項４に記載の携帯端末装置。
【請求項６】
上記筐体の上記装着面部には、少なくとも外部音声出力用の外部スピーカ部と、補助表示部とが設けられており、
上記筐体パネルには、当該筐体パネルが上記筐体に装着された際に、該筐体に設けられている上記補助表示部を露出させると共に、該補助表示部の外周部との間に所定の間隙部を形成する開口部が設けられており、
上記筐体に設けられた上記間隙形成用凸部により、該筐体の上記装着面部と上記筐体パネルの上記裏面部との間に形成された間隙部を介して伝達する上記外部スピーカ部から出力された音響出力を、上記補助表示部の外周部と上記パネル部材の開口部との間に形成された上記所定の間隙部を介して上記筐体パネル外に放音する
請求項３から請求項５のうち、いずれか一項に記載の携帯端末装置。
【請求項７】
筒形状部材の周面部の一部を、径方向に対して直交する方向に沿って切り欠いて形成されており、少なくとも筐体の装着面部と共に該筐体の両側面部をも被覆するように形成された筐体パネルの空隙部に上記筐体の端部を挿入することで、該筐体に筐体パネルを装着し、
上記筐体パネルが装着された上記筐体の端部に対して、当該筐体の端部を被覆するパネル固定カバーを装着することで、上記筐体に上記筐体パネルを固定する
筐体パネルの装着方法。
【請求項８】
筒形状部材の周面部の一部を、径方向に対して直交する方向に沿って切り欠いて形成されており、空隙部に筐体の端部を挿入するかたちで該筐体に装着された際に、少なくとも該筐体の装着面部と共に該筐体の両側面部をも被覆するように形成された
筐体パネル。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯ゲーム機、デジタルカメラ装置、ノート型のパーソナルコンピュータ装置等の携帯機器に適用して好適な携帯端末装置、筐体パネルの装着方法、及び筐体パネルに関する。
特には、筐体の外観を一新させると共に、筐体の強度も担保可能な筐体パネルを簡単に装着可能とした携帯端末装置、筐体パネルの装着方法、及び筐体パネルに関する。
【背景技術】
【０００２】
特開２００５−０９４５３３号の公開特許公報に、筐体の一部を構成する筐体面を交換することでデザインを簡単に変更することが可能な折り畳み型の携帯電話機が開示されている。
【０００３】
この携帯電話機の場合、交換（＝着せ替え）を行う平板形状の筐体パネルに対して、該筐体パネルから突出すると共に、ネジ孔を備えた取り付け用脚部を設けている。携帯電話機の筐体側には、筐体パネルの取り付け用脚部を挿入するための脚部挿入孔部が設けられている。そして、筐体に対して筐体パネルを装着する際には、この筐体に設けられた脚部挿入孔部に対して筐体パネルの取り付け用脚部を挿入し、筐体の側面部に設けられたネジ孔からネジを挿入し、筐体パネルの脚部挿入孔部に設けられたネジ孔を介して該筐体パネルを筐体にネジ止めするようになっている。
【０００４】
折り畳み型の携帯電話機の場合、折り畳んだ状態で露出する筐体面にはスイッチ類等が少なく、かつ、この筐体の外観の殆どを占めるため、上記筐体パネルを交換することで、当該携帯電話機のデザインを簡単に変更することができる。
【０００５】
【特許文献１】特開２００５−０９４５３３号公報（第４頁〜第５頁、図１）
【発明の開示】
【発明が解決しようとする課題】
【０００６】
しかし、特許文献１に開示されている携帯電話機の場合、平板形状の筐体パネルを交換することでデザインが変更される部分は筐体の平面部のみであり、筐体の側面部や端部の色彩や模様としては、元の色彩や模様が依然として残ることとなるため、筐体の外観を一新するには至らない問題がある。
【０００７】
ここで、今日における携帯電話機は、筐体の大幅な薄型化がなされている。このような筐体の薄型化を図るには、筐体の強度を確保したうえで、該筐体の薄型化を図る必要があるが、特許文献１に開示されている携帯電話機の場合、筐体に対して平板形状の筐体パネルを宛う（あてがう）だけであるため、薄型化された筐体の強度を担保することは困難となる問題もある。
【０００８】
本発明は、上述の課題に鑑みてなされたものであり、筐体の外観を一新させると共に、筐体の強度も担保可能な筐体パネルを簡単に装着可能な携帯端末装置、筐体パネルの装着方法、及び筐体パネルを提供することを目的とする。
【課題を解決するための手段】
【０００９】
本発明に係る携帯端末装置は、上述の課題を解決するために、
筒形状部材の周面部の一部を、径方向に対して直交する方向に沿って切り欠いて形成されており、空隙部に筐体の端部を挿入するかたちで該筐体に装着された際に、少なくとも該筐体の装着面部と共に該筐体の両側面部をも被覆するように形成された筐体パネルと、
上記筐体パネルが装着された上記筐体の端部を被覆するように該筐体の端部に装着されることで、該筐体に上記筐体パネルを固定するパネル固定カバーと
を有する。
【００１０】
このような本発明は、筒形状部材の周面部の一部を、径方向に対して直交する方向に沿って切り欠き加工することで、端面が略Ｕ字状となる筐体パネルを形成している。そして、この筐体パネルの空隙部に対して筐体の端部を挿入するかたちで、該筐体パネルを筐体に装着すると共に、この筐体パネルが装着された筐体の端部を被覆するように、該筐体の端部にパネル固定カバーを装着して、該筐体に筐体パネルを固定する。
【００１１】
これにより、筐体パネルの空隙部に筐体の端部を挿入し、該筐体の端部にパネル固定カバーを装着するだけで、該筐体に筐体パネルを装着することができるため、該筐体に対する筐体パネルの装着や交換を簡単に実行可能とすることができる。
【００１２】
また、筐体に装着された筐体パネルは、筐体の装着面部のみならず該筐体の両側面部までをも被覆し、パネル固定カバーは、筐体の端部を被覆するため、この筐体パネル及びパネル固定カバーにより、筐体の略々全体を被覆することができる。このため、筐体の外観を一新させることができる。
【００１３】
また、筐体パネル及び固定カバーを装着することで、筐体の装着面部のみならず、両側面部及び端部まで被覆することができるため、薄型化された筐体であっても、当該筐体パネル及び固定カバーを装着することで、この薄型化された筐体の強度を担保可能とすることができる。
【発明の効果】
【００１４】
本発明は、筐体パネルの空隙部に筐体の端部を挿入し、該筐体の端部にパネル固定カバーを装着するだけで、該筐体に筐体パネルを装着することができる。このため、筐体に対する筐体パネルの装着や交換を簡単に実行可能とすることができる。
【００１５】
また、筐体に装着された筐体パネルは、筐体の装着面部及び両側面部を被覆し、パネル固定カバーは、筐体の端部を被覆するため、この筐体パネル及びパネル固定カバーにより、筐体の略々全体を被覆することができる。このため、筐体の外観を一新させることができる。
【００１６】
また、筐体パネル及び固定カバーを筐体に装着することで、筐体の装着面部のみならず、両側面部及び端部まで被覆することができるため、薄型化された筐体であっても、当該筐体パネル及び固定カバーを装着することで、この薄型化された筐体の強度を担保可能とすることができる。
【発明を実施するための最良の形態】
【００１７】
本発明は、折り畳み型の携帯電話機に適用することができる。
【００１８】
［携帯電話機の外観構成］
この本発明の実施の形態となる携帯電話機は、略長方形状の上筐体の短手方向の一端部、及び上筐体と略々同じ大きさの略長方形状の下筐体の短手方向の一端部をヒンジ部を介して相互に接続することで、上筐体及び下筐体の折り畳み操作及び開操作が可能となっている。
【００１９】
図１に、本発明を適用した実施の形態となる携帯電話機の上筐体１、この上筐体１に装着する筐体パネル２、及び上筐体１の端部１ａ（反ヒンジ部側の端部）に装着して、該上筐体１に筐体パネル２を固定する固定カバー３の斜視図を示す。
【００２０】
この図１に示すように、上筐体１には、当該携帯電話機を折り畳んだ際に露出する面部１ａ（以下、筐体パネルを装着する面部の意味で「装着面部１ａ」という。）のヒンジ部４近傍に、外部出力用のスピーカ部である、右出力用及び左出力用の一対の外部スピーカ部５Ｒ，５Ｌが、当該上筐体１の短手方向に沿って並設されている。
【００２１】
また、この上筐体１の装着面部１ａには、各外部スピーカ部５Ｒ，５Ｌと、当該上筐体１の反ヒンジ部４側の端部１ｂとの間に、例えば液晶表示部、ＥＬ表示部（EL：Electro-Luminescence）、有機ＥＬ表示部等の補助表示部６が設けられている。一例ではあるが、この補助表示部６は、当該上筐体１の短手方向に沿った楕円形状を有している。
【００２２】
図２に、筐体パネル２及び固定カバー３を装着した状態の上筐体１を、当該携帯電話機を開操作した際に露出する面部１ｃ（以下、メイン表示部が設けられている面部との意味で「表示面部１ｃ」という。）側から見た状態の斜視図を示す。
【００２３】
この図２からわかるように、当該上筐体１の、上記装着面部１ａに対して反対側の面部となる表示面部１ｃには、反ヒンジ部４側の端部１ｂ近傍に、主に受話音声を出力するための受話音声用スピーカ部７が設けられている。また、この上筐体１の表示面部１ｃには、受話音声用スピーカ部７とヒンジ部４との間の領域を略々専有する大きさのメイン表示部８が設けられている。このメイン表示部８は、上記補助表示部６と同様に、液晶表示部、ＥＬ表示部（EL：Electro-Luminescence）、或いは有機ＥＬ表示部等となっている。
【００２４】
図３に、この上筐体１のみを上記装着面部１ａ側から見た斜視図を示す。この図３からわかるように、上筐体１の装着面部１ａには、上筐体１の両側面部近傍に、該上筐体１の長手方向に沿って延設され、該上筐体１の長手方向に対して垂直方向に装着面部１ａから突出した一対の間隙形成用凸部９が設けられている。この間隙形成用凸部９は、上筐体１に筐体パネル２が装着された際に、上筐体１の装着面部１ａと筐体パネル２の裏面部との間に所定の間隙部（図５の符号２５）を形成するように機能するが、詳しくは後述する。
【００２５】
次に、同じく図３に示すように、上筐体１は、当該上筐体１の上半分を形成する上ハーフ１０、及び当該上筐体１の下半分を形成する下ハーフ１１とを貼り合わせることで形成されている。上ハーフ１０及び下ハーフ１１の長手方向の両側面部には、該上ハーフ１０及び該下ハーフ１１を貼り合わせた際に、該両側面部が丸みを帯びた形状となるように、いわゆるＲ加工が施されている。
【００２６】
すなわち、近年、筐体に対する薄型化の要求が強い。筐体を薄型化するには、該筐体を物理的に薄型化したうえで、両側面部の角を削って丸みを帯びた形状にＲ加工することで、ユーザに対して、見た目上、さらに筐体を薄く見せることができる。ただ、筐体の両側面部に対してＲ加工を施すと、ユーザに対して、見た目上、さらに筐体を薄く見せることができることはよいが、必然的に両側面部の面積が小さくなるため、筐体として必要な強度を得ることができるように、上ハーフ１０及び下ハーフ１１を貼り合わせることが困難となる。
【００２７】
このため、当該実施の形態の携帯電話機の場合、図３に示すように上筐体１の上ハーフ１０及び下ハーフ１１の各側面部を、見た目が台形状の凹凸を繰り返すように切り欠き加工し、上ハーフ１０の台形状の凹部には、下ハーフ１１の台形状の凸部が挿入され、同様に上ハーフ１０の台形状の凸部が、下ハーフ１１の台形状の凹部に挿入されるように、該上ハーフ１０及び下ハーフ１１を貼り合わせている。
【００２８】
これにより、上筐体１を物理的に薄型化し、見た目上、該筐体をさらに薄く見せるように該上筐体１の両側面部に対してＲ加工を施した場合でも、該上筐体１の上ハーフ１０及び下ハーフ１１を強固に貼り合わせる可能として、上筐体１としての必要な強度を保持している。
【００２９】
次に、図４に筐体パネル２を裏面部側から見た斜視図を示す。この図４からわかるように、筐体パネル２は、例えば楕円の筒形状部材の周面部の一部を、径方向に対して直交する方向に沿って切り欠いて形成することで、当該筐体パネル２を端部側から見た際に、略Ｕ字形状を有するように形成されている。この筐体パネル２の材質は、例えばアルミニウム等の金属部材となっており（鉄部材等の他の金属部材や、ＡＢＳ樹脂等の強化プラスチックでもよい。）、上筐体１の端部１ｂが挿入される空隙部２０の大きさは、該上筐体１の端部１ｂの大きさよりも若干大きめとなっている。
【００３０】
また、この筐体パネル２の両側面部２ａには、当該筐体パネル２が上筐体１に装着された際に、上記Ｒ加工が施されている上筐体１の両側面部を被覆すると共に、図２に示すように該上筐体１の表示面部１ｃにおける、該上筐体１の両側面部近傍に相当する部分までをも被覆するように巻き加工（ラウンド加工）が施されている。
【００３１】
また、この筐体パネル２には、上筐体１に装着された際に、該上筐体１の装着面部１ａに設けられている補助表示部６を露出させるための開口部１５が設けられている。この開口部１５は、上筐体１の装着面部１ａに設けられている補助表示部６と同じ楕円形状を有しており、該補助表示部６の外周部と当該開口部１５の内周部１５ａとの間に所定の間隙部を形成するように、上記補助表示部６よりも若干大きめとなっている。
【００３２】
次に、固定カバー３は、図１に示すように略楕円形状の有底円筒形状を有している。全体的な大きさは、上筐体１の端部１ｂを被覆可能なように、該端部１ｂと略々同じ大きさとなっている。また、この固定カバー３の両側面部近傍には、一対のネジ孔１７が設けられている。固定カバー３は、ネジ１８により、この各ネジ孔１７を介して下筐体１の端部１ｂにネジ止めされることで、図２に示すように上筐体１に装着された筐体パネル２が該上筐体１に固定されるようになっている。
【００３３】
［筐体パネルの装着工程］
次に、上筐体１に対する筐体パネル２の装着工程の説明をする。上筐体１に対して筐体パネル２を装着する場合、まず、図１に示すように筐体パネル２の空隙部２０に対して上筐体１の端部１ｂを挿入し、この状態で、筐体パネル２の開口部１５側の端部２ｂが、上筐体１のヒンジ部４側の端部１ｄに当接するまで、筐体パネル２に対して図１中矢印に示す上筐体１方向の力を加える。これにより、筐体パネル２の空隙部２０に対して、上筐体１全体が挿入されるかたちで、該上筐体１に筐体パネル２が装着されることとなる。
【００３４】
次に、このように上筐体１に筐体パネル２を装着した状態で、上筐体１の反ヒンジ部４側の端部１ｂに固定カバー３を装着する。そして、固定カバー３の各ネジ孔１７を介してネジ１８により、該固定カバー３を上筐体１の端部１ｂに固定する。これにより、上筐体１に装着された筐体パネル２が、この固定カバー３と上筐体１のヒンジ部４側の端部１ｄとの間で挟持されるかたちで該上筐体１に固定され、当該筐体パネルの装着工程が完了する。
【００３５】
すなわち、当該実施の形態の携帯電話機の場合、筐体パネル２の空隙部２０に対して、上筐体１の端部１ｂを挿入したうえで、上筐体１の反ヒンジ部４側の端部１ｂに固定カバー３をネジ止めするだけで、上筐体１に対して筐体パネル２を簡単に装着することができる。このため、デザインや模様、色彩等の異なる筐体パネル２に交換することも簡単に行うことができ、筐体の外観を簡単に一新させることができる。
【００３６】
〔ラウンド構造による筐体補強機能〕
ここで、上述のように筐体パネル２の両側面部２ａにはラウンド加工が施されており、筐体パネル２を上筐体１に装着した際に、図２に示すようにこの筐体パネル２の両側面部２ａにより、上筐体２の表示面部１ｃ側までも被覆するようになっている。図５は、上筐体１に筐体パネル２を装着した状態で、該上筐体１及び筐体パネル２を、該上筐体１の短手方向に沿って切断した状態の断面図である。この図５からもわかるように、上筐体１に筐体パネル２を装着することで、該筐体パネル２の両側面部２ａにより、上筐体１の表示面部１ｃ側まで被覆されていることがわかる。
【００３７】
図３を用いて説明したように、上筐体１は、物理的に薄型化されており、見た目上、該筐体をさらに薄く見せるように該上筐体１の両側面部に対してＲ加工が施されている。そして、上筐体１の上ハーフ１０及び下ハーフ１１の各側面部を、見た目が台形状の凹凸を繰り返すように切り欠き加工し、上ハーフ１０の台形状の凹部には、下ハーフ１１の台形状の凸部が挿入され、同様に上ハーフ１０の台形状の凸部が、下ハーフ１１の台形状の凹部に挿入されるように、該上ハーフ１０及び下ハーフ１１を貼り合わせることで、上ハーフ１０及び下ハーフ１１の強固な貼り合わせを可能とし、このように薄型化された上筐体１の必要な強度を保持している。
【００３８】
しかも、アルミニウム等の金属部材で形成された筐体パネル２を装着することで、上筐体１の装着面部１ａ、両側面部、及び表示面部１ｃにおける上筐体１の両側面部近傍に相当する部分を被覆し、固定カバー３により、上筐体１の反ヒンジ部４側の端部１ｂを被覆している。換言すれば、筐体パネル２及び固定カバー３により、上筐体１のメイン表示部８以外の部分を全て被覆している。これにより、薄型化された上筐体１の強度を十分に担保可能とすることができる。
【００３９】
また、筐体パネル２及び固定カバー３により、上筐体１のメイン表示部８以外の部分が全て被覆されるということは、上筐体１全体の面積うち、筐体パネル２で占められる面積が大半であることを意味する。このため、筐体パネル２を交換することで、上筐体１のデザイン、色彩、模様等を一新させることを可能とすることができる。
【００４０】
〔間隙形成用凸部の貼り付き防止機能〕
次に、上筐体１に装着された筐体パネル２は、図５の断面図に示すように上筐体１の装着面部１ａに設けられている一対の間隙形成用凸部９上に乗り上げるかたちとなる。これにより、上筐体１の装着面部１ａと筐体パネル２の裏面部２ｃとの間に所定の間隙部２５を形成する。すなわち、上筐体１に装着された筐体パネル２は、上筐体１の両側面部の部分と各間隙形成用凸部９との少ない面積で該上筐体１と接触していることとなる（上筐体１の装着面部１ａと筐体パネル２の裏面部２ｃとは接触していない。）。
【００４１】
上筐体１と筐体パネル２との接触面積が大きい場合、時間の経過と共に上筐体１と筐体パネル２とが貼り付いた状態となり、上筐体１から筐体パネル２が取り外し難くなるのであるが、当該実施の形態の携帯電話機の場合、各間隙形成用凸部９により、上筐体１の装着面部１ａと筐体パネル２の裏面部２ｃとの接触を防止し、上筐体１と筐体パネル２との接触面積を極小さなものとしているため、時間の経過と共に上筐体１と筐体パネル２とが貼り付いた状態となる不都合を防止することができ、時間が経過した場合でも、上筐体１から筐体パネル２を簡単に取り外し可能とすることができる。
【００４２】
〔音声の放音構造〕
次に、この実施の形態の携帯電話機の場合、各間隙形成用凸部９で上筐体１の装着面部１ａと筐体パネル２の裏面部２ｃとの間に形成される間隙部２５、及び筐体パネル２の開口部１５の内周部と補助表示部６の外周部との間に形成される間隙部を用いて、上筐体１に設けられた各スピーカ部５Ｒ，５Ｌから出力された音声を、筐体パネル２外に放音するようになっている。
【００４３】
図６に、筐体パネル２を装着した上筐体１を、該上筐体１の長手方向に沿ってスピーカ部５Ｌ及び補助表示部６の部分を切断した状態の断面図を示す。この図６からわかるように、筐体パネル２の開口部１５の大きさは、上筐体１の装着面部１ａに設けられた補助表示部６の大きさよりも若干大きめとなっている。このため、上筐体１に筐体パネル２を装着した場合、筐体パネル２の開口部１５から補助表示部６が露出すると共に、筐体パネル２の開口部１５の内周部１５ａと補助表示部６の外周部６ａとの間に所定の間隙部３０が形成される。
【００４４】
さらに具体的には、筐体パネル２の開口部１５の内周部１５ａには、該筐体パネル２の表面部２ｄ側の開口面積が、裏面部２ｃ側の開口面積よりも若干小さくなるようテーパ加工が施されている。これに対して、補助表示部６の外周部６ａ（及び上筐体１の補助表示部６が設けられる部分）には、当該外周部６ａを、上記テーパ加工が施された開口部１５の内周部１５ａと略々平行とするテーパ加工が施されている。このため、筐体パネル２の開口部１５の内周部１５ａと補助表示部６の外周部６ａとの間には、所定の間隙部３０が形成されることとなる。そして、上述のように上筐体１の装着面部１ａと筐体パネル２の裏面部２ｃとの間には、各間隙形成用凸部９により、間隙部２５が形成されているため、この間隙部２５と、開口部１５の内周部１５ａと補助表示部６の外周部６ａとの間に形成された間隙部３０とは連通することとなる。
【００４５】
この状態で、スピーカ部５Ｌから音声出力がなされると、該スピーカ部５Ｌから出力された音声は、図６中矢印で示すように、スピーカ部５Ｌの放音用孔部３１を介して上筐体１外に放音されると共に、上筐体１の装着面部１ａと筐体パネル２の裏面部２ｃとの間に形成された間隙部２５を介して、該上筐体１の装着面部１ａと筐体パネル２の裏面部２ｃとの間を伝達し、開口部１５の内周部１５ａと補助表示部６の外周部６ａとの間に形成された間隙部３０を介して筐体パネル２外に放音される。なお、スピーカ部５Ｒから出力された音声も、このスピーカ部５Ｌから出力された音声と同様に、上記間隙部３０を介して筐体パネル２外に放音される。
【００４６】
これにより、上筐体１に筐体パネル２を装着することで、上筐体１に設けられているスピーカ部５Ｒ，５Ｌ上を筐体パネル２で被覆する場合でも、各スピーカ部５Ｒ，５Ｌから出力される音声を該筐体パネル２で遮音することなく、上記各間隙部２５，３０を介して筐体パネル２外に放音することができ、良好な音響出力を得ることができる。
【００４７】
また、各スピーカ部５Ｒ，５Ｌから出力される音声を上記各間隙部２５，３０を介して筐体パネル２外に放音することができるため、筐体パネル２に対して放音用の孔部を設ける等の加工処理を不要とすることができ、筐体パネル２の製作工程の簡素化を図ることができる。さらに、筐体パネル２に対する放音用の孔部を設ける等の加工処理を不要とすることができるため、筐体パネル２の表面部２ｄを、上記補助表示部６用の開口部１５が設けられていることを除き、全体的に平面状とすることができる。このため、筐体パネル２に対して模様や色彩等のデザインを付す加工を施し易くすることができる。
【００４８】
［実施の形態の効果］
以上の説明から明らかなように、この実施の形態の携帯電話機は、筐体パネル２の空隙部２０に対して、上筐体１の端部１ｂを挿入したうえで、上筐体１の反ヒンジ部４側の端部１ｂに固定カバー３をネジ止めするだけで、上筐体１に対して筐体パネル２を簡単に装着することができる。このため、デザインや模様、色彩等の異なる筐体パネル２に交換することも簡単に行うことができ、筐体の外観を簡単に一新させることができる。
【００４９】
また、筐体パネル２の両側面部２ａには巻き加工（ラウンド加工）が施されており、この筐体パネル２を上筐体１に装着することで、上筐体の装着面部１ａのみならず、上筐体１の両側面部、及び上筐体の表示面部１ｃの両端部近傍まで被覆することができる。このため、上筐体１に筐体パネル２を装着することで、薄型化された上筐体１の強度を筐体パネル２により十分に担保可能とすることができる。
【００５０】
また、上筐体１に筐体パネル２を装着することで、上筐体１のメイン表示部８以外の部分を該筐体パネル２で被覆することができる。これは、上筐体１全体の面積うち、筐体パネル２で占められる面積が大半であることを意味する。このため、筐体パネル２を交換することで、上筐体１のデザイン、色彩、模様等を一新させることを可能とすることができる。
【００５１】
また、上筐体１に設けられた各間隙形成用凸部９により、該上筐体１に筐体パネル２が装着された際に、上筐体１の装着面部１ａと筐体パネル２の裏面部２ｃとの間に間隙部２５を形成するようになっている。このため、時間の経過と共に上筐体１と筐体パネル２とが貼り付いた状態となる不都合を防止することができ、時間が経過した場合でも、上筐体１から筐体パネル２を簡単に取り外し可能とすることができる（迅速に筐体パネル２の交換を可能とすることができる。）。
【００５２】
また、各間隙形成用凸部９により、上筐体１の装着面部１ａと筐体パネル２の裏面部２ｃとの間に形成される間隙部２５は、筐体パネル２の開口部１５の内周部と補助表示部６の外周部との間に形成される間隙部３０と連通しており、この間隙部２５及び間隙部３０を介して、各スピーカ部５Ｒ，５Ｌからの音声出力を、筐体パネル２外に放音するようになっている。
【００５３】
これにより、上筐体１に筐体パネル２を装着することで、上筐体１に設けられているスピーカ部５Ｒ，５Ｌ上を筐体パネル２で被覆する場合でも、各スピーカ部５Ｒ，５Ｌから出力される音声を該筐体パネル２で遮音することなく、上記各間隙部２５，３０を介して筐体パネル２外に放音することができ、良好な音響出力を得ることができる。
【００５４】
また、各スピーカ部５Ｒ，５Ｌから出力される音声を上記各間隙部２５，３０を介して筐体パネル２外に放音することができるため、筐体パネル２に対して放音用の孔部を設ける等の加工処理を不要とすることができ、筐体パネル２の製作工程の簡素化を図ることができる。さらに、筐体パネル２に対する放音用の孔部を設ける等の加工処理を不要とすることができるため、筐体パネル２の表面部２ｄを、上記補助表示部６用の開口部１５が設けられていることを除き、全体的に平面状とすることができる。このため、筐体パネル２に対して模様や色彩等のデザインを付す加工を施し易くすることができる。
【００５５】
［変形例］
上述の実施の形態の説明では、上筐体１の長手方向に沿って一対の間隙形成用凸部９を設けることとしたが、これは、図７に示すように上筐体１の長手方向に対して垂直方向に装着面部１ａから突出する間隙形成用凸部９を、上筐体１の短手方向に沿って、所定間隔（或いはランダムの間隔）で複数設けるようにしてもよい。この場合でも、筐体パネル２の裏面部２ｃと上筐体１の装着面部１ａとの間に上述の間隙部２５を形成することができ、上述と同様に、上筐体１と筐体パネル２との貼り付き防止や、各スピーカ部５Ｒ，５Ｌからの音声を、間隙部２５等を介した筐体パネル２外に放音する等の効果を得ることができる。
【００５６】
また、間隙形成用凸部９は、図３や図７において角柱状として図示したが、図８に示すように間隙形成用凸部９を略半円球形状とし、この略半円球形状とした間隙形成用凸部９を図３に示したように上筐体１の長手方向に沿って並設し、図７に示したように上筐体１の短手方向に沿って並設し、或いは上筐体１上にランダムに設けるようにしてもよい。この場合でも、上述と同様に、上筐体１と筐体パネル２との貼り付き防止や、各スピーカ部５Ｒ，５Ｌからの音声を、間隙部２５等を介した筐体パネル２外に放音する等の効果を得ることができる。すなわち、筐体パネル２の裏面部２ｃと上筐体１の装着面部１ａとの間に上述の間隙部２５を形成することができる形状であれば、間隙形成用凸部９の形状は任意の形状でよい。
【００５７】
また、上述の実施の形態の説明では、間隙形成用凸部９を上筐体１側に設けることとしたが、間隙形成用凸部９を筐体パネル２の裏面部２ｃ側に設けるようにしてもよい。具体的には、図９に示すように筐体パネル２の裏面部２ｃ側に、該筐体パネル２の長手方向に沿って一対の間隙形成用凸部９を設けてもよいし、図１０に示すように筐体パネル２の長手方向に沿って複数の間隙形成用凸部９を所定間隔（或いはランダムの間隔）で設けてもよい。さらには、図１１に示すように筐体パネル２の裏面部２ｃ側に、略半円球形状の間隙形成用凸部９を、筐体パネル２の長手方向や短手方向に沿って、或いはランダムに設けるようにしてもよい。いずれの場合でも、この筐体パネル２を上筐体１に装着した際に、筐体パネル２の裏面部２ｃと上筐体１の装着面部１ａとの間に上記間隙部２５を形成することができ、上述と同じ効果を得ることができる。
【００５８】
また、上述の実施の形態の説明では、筐体パネル２は上筐体１に装着することとしたが、該筐体パネル２を下筐体に装着してもよい。この場合でも、デザインを一新することができ、また、下筐体と筐体パネル２の貼り付きを防止できる他、下筐体にスピーカ部が設けられている場合には、例えば下筐体に設けられたカメラ部と開口部との間の間隙部を介してスピーカ部からの音声を放音することができる等、上述と同様の効果を得ることができる。
【００５９】
また、上述の実施の形態の説明では、本発明を折り畳み型の携帯電話機に適用することとしたが、この他、本発明をストレート型（＝スティック型）の携帯電話機に適用してもよい。この場合でも、外観を簡単に変更可能である等の、上述と同様の効果を得ることができる。
【００６０】
また、上述の実施の形態の説明では、本発明を携帯電話機に適用することとしたが、この他、例えばＰＨＳ電話機（PHS：Personal Handyphone System）、ＰＤＡ装置（PDA：Personal Digital Assistant）、携帯ゲーム機、デジタルカメラ装置、ノート型のパーソナルコンピュータ装置等の携帯機器に本発明を適用してもよい。いずれの場合も、上述と同様の効果を得ることができる。
【００６１】
最後に、本発明は、一例として説明した上述の実施の形態に限定されることはなく、本発明に係る技術的思想を逸脱しない範囲であれば、設計等に応じて種々の変更が可能であることは勿論であることを付け加えておく。
【図面の簡単な説明】
【００６２】
【図１】本発明を適用した実施の形態となる携帯電話機の上筐体、筐体パネル及び固定カバーの斜視図である。
【図２】実施の形態の携帯電話機において、筐体パネルが装着された状態の上筐体を、メイン表示部側から見た斜視図である。
【図３】実施の形態の携帯電話機における、筐体パネルが装着されていない状態の上筐体の斜視図である。
【図４】実施の形態の携帯電話機の上筐体に装着される筐体パネルの斜視図である。
【図５】実施の形態の携帯電話機において、筐体パネルが装着された状態の上筐体を、該上筐体の短手方向に沿って切断した切断面の断面図である。
【図６】実施の形態の携帯電話機において、筐体パネルが装着された状態の上筐体を、該上筐体の長手方向に沿って切断し、補助表示部の部分を拡大して示す断面図である。
【図７】実施の形態の携帯電話機において、上筐体に設けられる間隙形成用凸部の他の設置例を示す図である。
【図８】実施の形態の携帯電話機において、上筐体に設けられる間隙形成用凸部の他の形状を説明するための図である。
【図９】実施の形態の携帯電話機において、筐体パネル側に間隙形成用凸部を設けた例を示す図である。
【図１０】実施の形態の携帯電話機において、筐体パネル側に間隙形成用凸部を設けた他の例を示す図である。
【図１１】実施の形態の携帯電話機において、筐体パネル側に設けられる間隙形成用凸部の他の形状を説明するための図である。
【符号の説明】
【００６３】
１  上筐体、１ａ  上筐体の装着面部、１ｂ  上筐体の反ヒンジ部側の端部、１ｃ  上筐体の表示面部、１ｄ  上筐体のヒンジ部側の端部、２  筐体パネル、２ａ  筐体パネルの側面部、２ｂ  筐体パネルの開口部側の端部、２ｃ  筐体パネルの裏面部、２ｄ  筐体パネルの表面部、３  固定カバー、４  ヒンジ部、５Ｒ  スピーカ部（右用）、５Ｌ  スピーカ部（左用）、６  補助表示部、６ａ  補助表示部の外周部、７  受話音声用のスピーカ部、８  メイン表示部、９  間隙形成用凸部、１０  上筐体の上ハーフ、１１  上筐体の下ハーフ、１５  筐体パネルの開口部、１５ａ  筐体パネルの開口部の内周部、１７  固定カバーのネジ孔、１８  ネジ、２０  筐体パネルの空隙部、２５  上筐体の装着面部と筐体パネルの裏面部との間に形成される間隙部、３０  上筐体の補助表示部の外周部と筐体パネルの開口部の内周部との間に形成される間隙部、３１  スピーカ部の放音用孔部
【図１】
2009290805.tif 000003
【図２】
2009290805.tif 000004
【図３】
2009290805.tif 000005
【図４】
2009290805.tif 000006
【図５】
2009290805.tif 000007
【図６】
2009290805.tif 000008
【図７】
2009290805.tif 000009
【図８】
2009290805.tif 000010
【図９】
2009290805.tif 000011
【図１０】
2009290805.tif 000012
【図１１】
2009290805.tif 000013